(57)【要約】【課題】差動信号の品質劣化を抑制することができる電気コネクタを提供すること。【解決手段】実施形態に係る電気コネクタは、板状の配線部材の端部が挿入される収容部を有する絶縁性のハウジングと、導電性の一対のシグナルコンタクト部材とを備える。一対のシグナルコンタクト部材は、差動信号を伝送する一対の内導体を有するケーブル部の一対の内導体のうち対応する内導体に接続される接続部と、配線部材に形成される複数のシグナル端子のうち対応するシグナル端子と接触する接触部とを各々有し、ハウジングに配置される。さらに、一対のシグナルコンタクト部材は、配線部材の端部が収容部に挿入された場合に配線部材の板厚方向になるハウジングの高さ方向で互いに対向する位置に配置される。【選択図】図２
2019133809.tif 000002
【特許請求の範囲】
【請求項１】
板状の配線部材の端部が挿入される収容部を有する絶縁性のハウジングと、
差動信号を伝送する一対の内導体を有するケーブル部の前記一対の内導体のうち対応する内導体に接続される接続部と、前記配線部材に形成される複数のシグナル端子のうち対応するシグナル端子と接触する接触部とを各々有し、前記ハウジングに配置される導電性の一対のシグナルコンタクト部材と、を備え、
前記一対のシグナルコンタクト部材は、
前記配線部材の端部が前記収容部に挿入された場合に前記配線部材の板厚方向になる前記ハウジングの高さ方向で互いに対向する位置に配置される
ことを特徴とする電気コネクタ。
【請求項２】
前記配線部材に形成されるグランド端子と接触する接触部を各々有し、前記ハウジングの高さ方向と前記配線部材の前記収容部への挿入方向とに各々直交する前記ハウジングの幅方向に沿って前記ハウジングに配列された導電性の複数のグランドコンタクト部材を備え、
前記一対のシグナルコンタクト部材は、
前記複数のグランドコンタクト部材間に配置される
ことを特徴とする請求項１に記載の電気コネクタ。
【請求項３】
前記配線部材に形成されるグランド端子と接触する接触部を有し、前記ハウジングに配置される導電性のグランドコンタクト部材を備え、
前記シグナルコンタクト部材は、複数対設けられ、
前記グランドコンタクト部材は、
前記ハウジングの高さ方向と前記配線部材の前記収容部への挿入方向とに各々直交する前記ハウジングの幅方向で前記複数対のシグナルコンタクト部材間に配置される
ことを特徴とする請求項１に記載の電気コネクタ。
【請求項４】
前記一対のシグナルコンタクト部材は、
前記配線部材の一方の板面に形成されたシグナル端子と接触する第一のシグナルコンタクト部材と、前記配線部材の他方の板面に形成されたシグナル端子と接触する第二のシグナルコンタクト部材とを含み、
前記グランド端子は、
前記一方の板面と前記他方の板面とに各々形成され、
前記グランドコンタクト部材は、
前記一方の板面に形成された前記グランド端子に接触する接触部を有し、前記ハウジングの幅方向で前記第一のシグナルコンタクト部材と対向する第一のグランドコンタクト部と、
前記他方の板面に形成された前記グランド端子に接触する接触部を有し、前記ハウジングの幅方向で前記第二のシグナルコンタクト部材と対向する第二のグランドコンタクト部と、を備える
ことを特徴とする請求項２に記載の電気コネクタ。
【請求項５】
前記グランドコンタクト部材は、
前記第一のグランドコンタクト部と前記第二のグランドコンタクト部とを連結する連結部を備える
ことを特徴とする請求項４に記載の電気コネクタ。
【請求項６】
前記ハウジング、前記シグナルコンタクト部材、および前記グランドコンタクト部材を覆い、前記ケーブル部における外導体に接続される導電性のシェル部材を備え、
前記シェル部材は、前記配線部材に形成される前記グランド端子と接触する接触部を有する
ことを特徴とする請求項２に記載の電気コネクタ。
【発明の詳細な説明】
【技術分野】
【０００１】
開示の実施形態は、電気コネクタに関する。
【背景技術】
【０００２】
近年、携帯電話機およびサーバといった電子装置では、高速の伝送のために差動信号が用いられることが多くなってきており、差動信号を伝送するための電気コネクタも開発されてきている。
【０００３】
例えば、特許文献１には、差動信号を伝送する少なくとも一対のシグナルコンタクト部材を含む複数のコンタクト部材を備える電気コネクタが開示されている。かかる電気コネクタは、相手コネクタと接触する複数のコンタクト部材の接触部が上下二列に配列されており、差動信号を伝送する少なくとも一対のシグナルコンタクト部材の接触部が上下二列のうちの第一列に配置され、グランドコンタクト部材の接触部が上下二列のうちの第二列に配置されている。
【先行技術文献】
【特許文献】
【０００４】
【特許文献１】特開２０１５−０５６３７４号公報
【発明の概要】
【発明が解決しようとする課題】
【０００５】
しかしながら、特許文献１に記載の電気コネクタは、差動信号を伝送する一対のシグナルコンタクト部材を構成する二つのシグナルコンタクト部材の接触部が同一の列に配置されている。そのため、コンタクト部材の配列方向において、一対のシグナルコンタクト部材に伝送される差動信号の対称性が悪くなり、差動信号の品質が劣化することがある。
【０００６】
実施形態の一態様は、上記に鑑みてなされたものであって、差動信号の品質劣化を抑制することができる電気コネクタを提供することを目的とする。
【課題を解決するための手段】
【０００７】
実施形態の一態様に係る電気コネクタは、板状の配線部材の端部が挿入される収容部を有する絶縁性のハウジングと、差動信号を伝送する一対の内導体を有するケーブル部の前記一対の内導体のうち対応する内導体に接続される接続部と、前記配線部材に形成される複数のシグナル端子のうち対応するシグナル端子と接触する接触部とを各々有し、前記ハウジングに配置される導電性の一対のシグナルコンタクト部材とを備える。前記一対のシグナルコンタクト部材は、前記配線部材の端部が前記収容部に挿入された場合に前記配線部材の板厚方向になる前記ハウジングの高さ方向で互いに対向する位置に配置される。
【発明の効果】
【０００８】
実施形態の一態様によれば、差動信号の品質劣化を抑制することができる電気コネクタを提供することができる。
【図面の簡単な説明】
【０００９】
【図１】図１は、実施形態に係る電気コネクタと配線部材との関係を示す図である。
【図２】図２は、実施形態に係る電気コネクタの横断面の一例を示す図である。
【図３】図３は、実施形態に係る電気コネクタの分解斜視図である。
【図４】図４は、実施形態に係るハウジングの斜視図である。
【図５】図５は、実施形態に係る電気コネクタのうちシェル部材を除く部分の斜視図である。
【図６】図６は、実施形態に係る電気コネクタのうちシェル部材を除く部分の正面図である。
【図７】図７は、実施形態に係る電気コネクタのうちシェル部材を除く部分の平面図である。
【図８】図８は、図６に示すVIII-VIII線に沿った断面図である。
【図９】図９は、図６に示すIX-IX線に沿った断面図である。
【図１０】図１０は、実施形態に係るシグナルコンタクト部材の斜視図である。
【図１１】図１１は、実施形態に係るグランドコンタクト部材の斜視図である。
【図１２】図１２は、実施形態に係るハウジングの幅方向におけるグランドコンタクト部材とシグナルコンタクト部材との関係を示す図である。
【図１３】図１３は、実施形態に係るシェル部材の斜視図である。
【図１４】図１４は、実施形態に係る同軸ケーブルが接続された状態の電気コネクタの斜視図である。
【図１５】図１５は、実施形態に係る同軸ケーブルが接続された状態の電気コネクタの正面図である。
【図１６】図１６は、図１５に示すXVI-XVI線に沿った断面図である。
【図１７】図１７は、図１５に示すXVII-XVII線に沿った断面図である。
【図１８】図１８は、実施形態に係る配線部材の外観図である。
【図１９】図１９は、実施形態に係る同軸ケーブルおよび配線部材に接続された電気コネクタの背面図である。
【図２０】図２０は、図１９に示すXX-XX線に沿った断面図である。
【図２１】図２１は、図１９に示すXXI-XXI線に沿った断面図である。
【図２２】図２２は、実施形態に係る電気コネクタにおけるシグナルコンタクト部材とグランドコンタクト部材との位置関係を示す模式図である。
【発明を実施するための形態】
【００１０】
以下、添付図面を参照して、本願の開示する電気コネクタの実施形態を詳細に説明する。なお、以下に示す実施形態によりこの発明が限定されるものではない。
【００１１】
＜１．電気コネクタの概略＞
実施形態に係る電気コネクタの概略について、図１および図２を参照して説明する。実施形態に係る電気コネクタ１には、図１に示すように、ケーブル部２が接続される。かかる電気コネクタ１を移動させて電気コネクタ１内に配線部材６の端部６１を挿入することで、ケーブル部２と配線部材６とが電気的に接続される。なお、図面において、ケーブル部２は、便宜上、一部のみを示し、残りを省略している。
【００１２】
以下において、説明の便宜上、電気コネクタ１を移動させて電気コネクタ１内に配線部材６の端部６１を挿入する方向（Ｙ軸正方向）を「前方向」とし、その逆方向（Ｙ軸負方向）を「後方向」とする。また、電気コネクタ１の後述するハウジング１０（図２参照）の高さ方向（Ｚ軸方向）を「上下方向」とし、ハウジング１０の幅方向（Ｘ軸方向）を「左右方向」とする。なお、ハウジング１０の高さ方向は、配線部材６の端部６１が電気コネクタ１内に挿入された場合に配線部材６の板厚方向になる。ハウジング１０の幅方向は、ハウジング１０の高さ方向と配線部材６の端部６１の電気コネクタ１内への挿入方向とに各々直交する方向（Ｘ軸方向）である。
【００１３】
図２に示すように、電気コネクタ１は、ハウジング１０と、複数のシグナルコンタクト部材２０と、シェル部材４０とを備え、複数のケーブル部２と配線部材６とを電気的に接続する。
【００１４】
各ケーブル部２は、一対の同軸ケーブル３を含む。複数のケーブル部２には、差動信号を伝送する少なくとも一つのケーブル部２が含まれる。差動信号を伝送するケーブル部２における一対の同軸ケーブル３のうち一方の同軸ケーブル３の内導体３ａ（信号線）によって差動信号のうち一方の信号が伝送され、他方の同軸ケーブル３の内導体３ａによって差動信号のうち他方の信号が伝送される。
【００１５】
配線部材６は、板状に形成された平型の配線部材である。図２に示す例では、配線部材６は、４層の印刷配線基板である。図２に示すように、配線部材６の端部６１における一方の板面６ａには、シグナル端子６２が形成され、他方の板面６ｂにはシグナル端子６３が形成される。
【００１６】
ハウジング１０は、絶縁性の部材によって構成される。ハウジング１０は、配線部材６の端部６１が挿入される収容部１１を備える。また、ハウジング１０には、複数のシグナルコンタクト部材２０が配置される。各シグナルコンタクト部材２０は、ケーブル部２の一対の内導体３ａのうち対応する内導体３ａに接続される接続部２１と、配線部材６に形成される複数のシグナル端子６２，６３のうち対応するシグナル端子と接触する接触部２２とを備える。
【００１７】
複数のシグナルコンタクト部材２０は、複数対のシグナルコンタクト部材２０を含む。そして、各対を構成する二つのシグナルコンタクト部材２０は、図２に示すように、ハウジング１０の高さ方向である上下方向で対向する位置に配置される。このように、電気コネクタ１は、上下方向で対向する位置に配置される複数対のシグナルコンタクト部材２０を有しており、少なくとも一対のシグナルコンタクト部材２０で差動信号が伝送される。
【００１８】
そのため、ハウジング１０の幅方向である左右方向において（Ｚ軸方向視において）、差動信号が伝送される一対のシグナルコンタクト部材２０の一方と他方とが同じ位置に配置される。そして、差動信号が伝送される一対のシグナルコンタクト部材２０には上下方向において他のコンタクト部材が隣接していない。これにより、一対のシグナルコンタクト部材２０の一方と他方とを左右方向に配列した場合に比べ、一対のシグナルコンタクト部材２０に伝送される差動信号の対称性を向上させることができ、差動信号の品質劣化を抑制することができる。
【００１９】
また、電気コネクタ１では、ハウジング１０の高さ方向である上下方向に各対のシグナルコンタクト部材２０の一方と他方とが対向する。そのため、各々差動信号を伝送する複数対のシグナルコンタクト部材２０が互いに隣接する場合であっても、複数対のシグナルコンタクト部材２０間でのクロストークの影響を抑えることができる。したがって、これによっても、差動信号の品質劣化を抑制することができる。
【００２０】
＜２．電気コネクタ１の構成＞
実施形態に係る電気コネクタ１は、上述したハウジング１０、複数のシグナルコンタクト部材２０、およびシェル部材４０に加え、図３に示すように、複数のグランドコンタクト部材３０と、複数のグランドバー５０とを備える。
【００２１】
複数のグランドコンタクト部材３０は、複数のシグナルコンタクト部材２０と同様に、ハウジング１０に配置される。各グランドバー５０は、複数の同軸ケーブル３の外導体３ｃ（シールド線）に半田付けによって取り付けられる。
【００２２】
ハウジング１０は、図４に示すように、配線部材６の端部６１が挿入される収容部１１と、同軸ケーブル３の先端部分が配置される複数の収容部１２と、ケーブル部２を支持するケーブル支持部１３とを備える。なお、図４において、複数の収容部１２のうち後方部１０ｃの下方に形成される収容部１２は、ケーブル支持部１３によって隠れて見えない状態である。
【００２３】
収容部１１は、ハウジング１０の前方部１０ａから中央部１０ｂへ向けて凹状に形成される。各収容部１２は、ハウジング１０の後方部１０ｃにおいて下方または上方に向けて凹状に形成される。各収容部１２には、グランドバー５０に取り付けられた複数の同軸ケーブル３の先端部分がグランドバー５０と共に収容される。
【００２４】
また、ハウジング１０には、複数のシグナルコンタクト部材２０が配置される複数の溝部１４，１５と、複数のグランドコンタクト部材３０が配置される複数の溝部１６，１７とが形成される。
【００２５】
各溝部１４，１６は、ハウジング１０の前方部１０ａから中央部１０ｂにかけて収容部１１に上方から対向する位置に形成される。複数の溝部１４は、ハウジング１０の幅方向に配列される。同様に、複数の溝部１６は、ハウジング１０の幅方向に配列される。また、溝部１４と溝部１６とは、ハウジング１０の幅方向に交互に間隔を空けて配置される。
【００２６】
各溝部１５，１７は、ハウジング１０の前方部１０ａから中央部１０ｂにかけて収容部１１に下方から対向する位置に形成される。複数の溝部１５は、ハウジング１０の幅方向に配列される。同様に、複数の溝部１７は、ハウジング１０の幅方向に配列される。また、溝部１５と溝部１７とは、ハウジング１０の幅方向に交互に間隔を空けて配置される。
【００２７】
図５、図６、および図８に示すように、複数の溝部１４，１５には、複数のシグナルコンタクト部材２０が配置される。具体的には、上方から収容部１１に対向する各溝部１４にシグナルコンタクト部材２０が配置され、下方から収容部１１に対向する各溝部１５にシグナルコンタクト部材２０が配置される。これにより、各対を構成する二つのシグナルコンタクト部材２０は、図８に示すように、ハウジング１０の高さ方向で対向する位置に配置される。
【００２８】
シグナルコンタクト部材２０は、図１０に示すように、同軸ケーブル３の内導体３ａ（図３参照）に接続される接続部２１と、シグナル端子６２，６３（図２参照）のいずれかと接触する接触部２２と、接続部２１と接触部２２との間に形成される延伸部２３とを有する。かかるシグナルコンタクト部材２０は、導電性部材によって形成される。例えば、シグナルコンタクト部材２０は、一つの金属板に打抜き折曲げ加工を施すことによって形成される。
【００２９】
また、図５、図６、および図９に示すように、複数の溝部１６，１７には、複数のグランドコンタクト部材３０が配置される。具体的には、上下方向で対向する二つの溝部１６，１７が一対の溝部１６，１７をなしており、各対の溝部１６，１７にグランドコンタクト部材３０が配置される。図７および図９に示すように、ハウジング１０の後方部１０ｃには、前方に向けて複数のスリット１８が形成されており、かかるスリット１８を通じてグランドコンタクト部材３０が一対の溝部１６，１７に挿入される。
【００３０】
グランドコンタクト部材３０は、図１１に示すように、接触部３１ａを有する第一のグランドコンタクト部３１と、接触部３２ａを有する第二のグランドコンタクト部３２と、第一のグランドコンタクト部３１と第二のグランドコンタクト部３２とを連結する連結部３３を有する。かかるグランドコンタクト部材３０は、導電性部材によって形成される。例えば、グランドコンタクト部材３０は、一つの金属板に打抜き加工を施すことによって形成される。図９に示す例では、グランドコンタクト部材３０は、上下対称に形成される。
【００３１】
図９に示すように、第一のグランドコンタクト部３１は、溝部１６に配置される。第二のグランドコンタクト部３２は、溝部１７に配置される。第一のグランドコンタクト部３１は、溝部１６に配置された状態において、収容部１１に上方から対向し、接触部３１ａが収容部１１に向けて突出する。また、第二のグランドコンタクト部３２は、溝部１７に配置された状態において、収容部１１に下方から対向し、接触部３２ａが収容部１１に向けて突出する。
【００３２】
接触部３１ａと接触部３２ａとは上下方向で対向し、上下方向における接触部３１ａと接触部３２ａとの間隔は配線部材６の板厚未満である。接触部３１ａと接触部３２ａとは、配線部材６の端部６１が収容部１１に挿入された場合に、配線部材６に弾性接触する。
【００３３】
図１２に示すように、第一のグランドコンタクト部３１は、ハウジング１０に配置された状態において、上方から収容部１１に対向するシグナルコンタクト部材２０とハウジング１０の幅方向でオーバラップする位置になる。また、第二のグランドコンタクト部３２は、ハウジング１０に配置された状態において、下方から収容部１１に対向するシグナルコンタクト部材２０とハウジング１０の幅方向でオーバラップする位置になる。
【００３４】
また、連結部３３は、ハウジング１０に配置された状態において、各シグナルコンタクト部材２０の後部とハウジング１０の幅方向でオーバラップする位置になる。なお、上方から収容部１１に対向するシグナルコンタクト部材２０は、第一のシグナルコンタクト部材の一例であり、下方から収容部１１に対向するシグナルコンタクト部材２０は、第二のシグナルコンタクト部材の一例である。
【００３５】
図１２に示す例では、第一のグランドコンタクト部３１および第二のグランドコンタクト部３２は、シグナルコンタクト部材２０の一部とハウジング１０の幅方向でオーバラップするが、かかる例に限定されない。例えば、第一のグランドコンタクト部３１および第二のグランドコンタクト部３２は、シグナルコンタクト部材２０の全部とハウジング１０の幅方向でオーバラップする形状を有していてもよい。
【００３６】
図１３に示すように、シェル部材４０は、四角筒状のケース部４１と、ケース部４１の上端部および下端部から各々前方に突出する二つの接触部４２，４３とを備える。ケース部４１には、ハウジング１０と係合する係合部４４と、ケース部４１の内部に通じる開口４５とが形成される。シェル部材４０は、導電性部材によって形成される。例えば、シェル部材４０は、一つの金属板に打抜き折曲げ加工を施すことによって形成される。
【００３７】
二つの接触部４２，４３は、上下方向で対向し弾性変位する。二つの接触部４２，４３間の最短距離は、配線部材６の板厚未満である。そのため、電気コネクタ１に配線部材６の端部６１を挿入した状態において、二つの接触部４２，４３が弾性変位し、二つの接触部４２，４３で配線部材６が挟持される。これにより、配線部材６から電気コネクタ１が意図しない力によって抜去される可能性をより低減することができる。
【００３８】
上述のように、ハウジング１０に形成された複数の溝部１４，１５に複数のシグナルコンタクト部材２０が配置され且つハウジング１０に形成された複数の溝部１６，１７に複数のグランドコンタクト部材３０が配置される。そして、収容部１２にグランドバー５０および複数の同軸ケーブル３の先端部が収容された状態で、ハウジング１０がシェル部材４０内に挿入される。これにより、図１４〜図１６に示すように、電気コネクタ１に複数の同軸ケーブル３が接続された状態になる。また、ハウジング１０、複数のシグナルコンタクト部材２０、および複数のグランドコンタクト部材３０は、シェル部材４０のケース部４１によって覆われる。
【００３９】
図１６に示すように、同軸ケーブル３は、内導体３ａの外周に、誘電体３ｂ、外導体３ｃおよび外周被覆材３ｄが順に同軸状に積層されて形成される。同軸ケーブル３は、先端から内導体３ａ、誘電体３ｂ、外導体３ｃが順次露出した状態で電気コネクタ１の内部に配置される。
【００４０】
なお、ケーブル部２は、図１６に示すように、一対の同軸ケーブル３で構成されているが、ケーブル部２は、ツインナックスケーブルなどのシールドペア線であってもよい。シールドペア線は、一対の内導体を含み、かかる一対の内導体が誘電体を介して同じ外導体に覆われる。
【００４１】
図１６に示す状態では、ケース部４１の開口４５（図１４参照）へ半田が流し込まれており、ケース部４１とグランドバー５０とが半田によって電気的に接続されている。また、グランドバー５０は、同軸ケーブル３の外導体３ｃに接続されている。これにより、同軸ケーブル３の外導体３ｃがグランドバー５０を介してシェル部材４０に電気的に接続される。
【００４２】
また、図１７に示すように、グランドコンタクト部材３０は、電気コネクタ１内において、同軸ケーブル３の外導体３ｃおよびグランドバー５０と電気的に接続されていない状態である。また、複数のグランドコンタクト部材３０は互いに電気的に接続されていない状態である。
【００４３】
＜３．電気コネクタ１と配線部材６との接続＞
次に、電気コネクタ１と配線部材６との接続について説明する。上述したように、複数の同軸ケーブル３が接続された電気コネクタ１におけるハウジング１０の収容部１１に配線部材６の端部６１を挿入することで、複数の同軸ケーブル３と配線部材６とが電気コネクタ１を介して電気的に接続される。
【００４４】
図１８に示すように、配線部材６の一方の板面６ａには、上述した複数のシグナル端子６２と、グランド端子６４とが形成される。グランド端子６４は、前後方向に延伸する複数の領域６４ａと、複数の領域６４ａの一端を連結する領域６４ｂとを有する。また、配線部材６の他方の板面６ｂには、上述したシグナル端子６３が複数形成されると共に、グランド端子６５（図２１参照）が形成される。グランド端子６５は、グランド端子６４と同様の形状を有している。
【００４５】
なお、配線部材６は、４層の印刷配線基板に限定されず、５層以上の印刷配線基板であってもよい。また、配線部材６は、リジッド基板に限られず、フレキシブル・プリンテッド・サーキット（ＦＰＣ）およびフレキシブル・フラットケーブル（ＦＦＣ）といったフレキシブル基板であってもよい。また、配線部材６は、板状の配線部材であればよく、リジッド基板およびフレキシブル基板に限定されない。
【００４６】
図２０に示すように、複数の同軸ケーブル３を接続した電気コネクタ１の収容部１１へ配線部材６の端部６１を挿入すると、各シグナルコンタクト部材２０の接触部２２がシグナル端子６２，６３のうち対応するシグナル端子に接触する。これにより、各シグナルコンタクト部材２０に接続された同軸ケーブル３の内導体３ａがシグナル端子６２，６３のいずれかに電気的に接続される。
【００４７】
電気コネクタ１においては、上下方向で互いに対向する一対のシグナルコンタクト部材２０によって差動信号が伝送される。そして、差動信号が伝送される一対のシグナルコンタクト部材２０には上下方向において信号を伝送する他のコンタクト部材が隣接していない。そのため、一対のシグナルコンタクト部材２０の一方と他方とをハウジング１０の幅方向に配列した場合に比べ、一対のシグナルコンタクト部材２０に伝送される差動信号の対称性を向上させることができ、差動信号の品質劣化を抑制することができる。
【００４８】
また、差動信号が伝送される一対のシグナルコンタクト部材２０は上下方向において、シェル部材４０で囲まれる。そのため、複数の同軸ケーブル３を接続した電気コネクタ１の収容部１１に配線部材６の端部６１を挿入すると、差動信号が伝送される一対のシグナルコンタクト部材２０は上下方向においてグランド電位で囲まれてシールドされた状態になる。そのため、差動信号の品質劣化をより抑制することができる。
【００４９】
また、図２１に示すように、複数の同軸ケーブル３が接続された電気コネクタ１に配線部材６が接続された状態で、第一のグランドコンタクト部３１の接触部３１ａがグランド端子６４の領域６４ａに接触し、第二のグランドコンタクト部３２の接触部３２ａがグランド端子６５の領域６５ａに接触する。これにより、第一のグランドコンタクト部３１および第二のグランドコンタクト部３２がグランド端子６４，６５に接続されて接地される。
【００５０】
図２２に示すように、各対のシグナルコンタクト部材２０は、対応する二つのグランドコンタクト部材３０間に配置される。各グランドコンタクト部材３０は接地されることから、各対のシグナルコンタクト部材２０への外部からの輻射の影響を抑制することができ、これにより、差動信号の品質劣化を抑制することができる。
【００５１】
なお、図２２において、「ＳＩＧ（＋）」は、差動信号のうちの一方の信号が伝送されるシグナルコンタクト部材２０を指し、「ＳＩＧ（−）」は、差動信号のうちの他方の信号が伝送されるシグナルコンタクト部材２０を指す。また、「ＧＮＤ」は、接地されたグランドコンタクト部材３０を指す。
【００５２】
また、図２２に示すように、隣接するシグナルコンタクト部材２０の対間には、接地された状態のグランドコンタクト部材３０が配置される。そのため、隣接するシグナルコンタクト部材２０の対間のクロストークを抑制することができ、これにより、差動信号の品質劣化を抑制することができる。
【００５３】
また、図２１に示すように、第一のグランドコンタクト部３１と第二のグランドコンタクト部３２とは連結部３３によって連結されており、グランド端子６４とグランド端子６５とがグランドコンタクト部材３０を介して接続される。これにより、グランドコンタクト部材３０において連結部３３が設けられない場合に比べ、グランドコンタクト部材３０の接地を強化することができ、差動信号の品質劣化をより抑制することができる。
【００５４】
また、図２１に示すように、シェル部材４０の接触部４２がグランド端子６４の領域６４ｂに接触し、シェル部材４０の接触部４３がグランド端子６５の領域６５ｂに接触する。シェル部材４０は、上述したように、同軸ケーブル３の外導体３ｃに電気的に接続されていることから、シェル部材４０によって、同軸ケーブル３の外導体３ｃと配線部材６のグランド端子６４，６５とが電気的に接続される。
【００５５】
また、電気コネクタ１の内部において、グランドコンタクト部材３０とシェル部材４０とが直接接続されておらず、グランドコンタクト部材３０と同軸ケーブル３の外導体３ｃとが直接接続されていない構成である。したがって、電気コネクタ１内において、グランドコンタクト部材３０とシェル部材４０との接続、およびグランドコンタクト部材３０と同軸ケーブル３の外導体３ｃとの接続を考慮しなくてよいため、電気コネクタ１の設計を容易に行うことができる。
【００５６】
なお、実施形態に係る電気コネクタ１は、上述した例に限定されない。例えば、電気コネクタ１は、グランドコンタクト部材３０とシェル部材４０とを直接接続する構成であってもよく、グランドコンタクト部材３０と同軸ケーブル３の外導体３ｃとを直接接続する構成であってもよい。
【００５７】
なお、上述した例では、ハウジング１０の幅方向にシグナルコンタクト部材２０とグランドコンタクト部材３０とが交互に配置される構成であるが、グランドコンタクト部材３０を設けない構成であってもよい。この場合であっても、一対のシグナルコンタクト部材２０に伝送される差動信号の対称性を向上させることができることから、差動信号の品質劣化を抑制することができる。
【００５８】
また、電気コネクタ１は、隣接するシグナルコンタクト部材２０の対間のみにグランドコンタクト部材３０が配置される構成であってもよい。すなわち、上述した複数のグランドコンタクト部材３０のうち、隣接するシグナルコンタクト部材２０の対間にないグランドコンタクト部材３０は配置されない構成であってもよい。
【００５９】
また、複数のシグナルコンタクト部材２０は、インサート成形によってハウジング１０に配置され、複数のグランドコンタクト部材３０は、ハウジング１０に圧入される。なお、電気コネクタ１は、複数のシグナルコンタクト部材２０がハウジング１０に圧入される構成であってもよく、また、複数のグランドコンタクト部材３０がインサート成形によってハウジング１０に配置される構成であってもよい。
【００６０】
上述した例では、シグナルコンタクト部材２０およびグランドコンタクト部材３０は、金属板に打抜き折曲げ加工や打抜き加工を施すことによって形成される。電気コネクタ１において、シグナルコンタクト部材２０は上下方向を板厚方向とし、グランドコンタクト部材３０は左右方向を板厚方向としている。そのため、シグナルコンタクト部材２０の左右方向の形状を任意に形成でき、グランドコンタクト部材３０の上下方向の形状を任意に形成することができる。なお、グランドコンタクト部材３０は、シグナルコンタクト部材２０と同一形状としてもよい。これにより、電気コネクタ１における部材の種類を少なくすることができる。
【００６１】
以上のように、実施形態に係る電気コネクタ１は、絶縁性のハウジング１０と、導電性の一対のシグナルコンタクト部材２０とを備える。ハウジング１０は、板状の配線部材６の端部６１が挿入される収容部１１を有する。一対のシグナルコンタクト部材２０は、差動信号を伝送するケーブル部２の一対の内導体３ａのうち対応する内導体３ａに接続される接続部２１と、配線部材６に形成される複数のシグナル端子６２，６３のうち対応するシグナル端子と接触する接触部２２とを各々有する。さらに、一対のシグナルコンタクト部材２０は、配線部材６の端部６１が収容部１１に挿入された場合に配線部材６の板厚方向になるハウジング１０の高さ方向で互いに対向する位置に配置される。これにより、一対のシグナルコンタクト部材２０の一方と他方とをハウジング１０の幅方向に配列した場合に比べ、一対のシグナルコンタクト部材２０に伝送される差動信号の対称性を向上させることができ、差動信号の品質劣化を抑制することができる。
【００６２】
また、電気コネクタ１は、ハウジング１０の高さ方向と配線部材６の収容部１１への挿入方向とに各々直交するハウジング１０の幅方向に沿ってハウジング１０に配列された導電性の複数のグランドコンタクト部材３０を備える。複数のグランドコンタクト部材３０は、配線部材６に形成されるグランド端子６４，６５と接触する接触部３１ａ，３２ａを各々有する。一対のシグナルコンタクト部材２０は、複数のグランドコンタクト部材３０間に配置される。そのため、一対のシグナルコンタクト部材２０への外部からの輻射などの影響を抑制することができ、差動信号の品質劣化を抑制することができる。
【００６３】
また、電気コネクタ１には、シグナルコンタクト部材２０が複数対設けられ、複数対のシグナルコンタクト部材２０は、各々差動信号を伝送する。グランドコンタクト部材３０は、ハウジング１０の幅方向で複数対のシグナルコンタクト部材２０間に配置される。これにより、ハウジング１０の幅方向において隣接するシグナルコンタクト部材２０の対間のクロストークを抑制することができ、差動信号の品質劣化を抑制することができる。
【００６４】
また、一対のシグナルコンタクト部材２０は、配線部材６の一方の板面６ａに形成されたシグナル端子６２と接触する第一のシグナルコンタクト部材と、配線部材６の他方の板面６ｂに形成されたシグナル端子６３と接触する第二のシグナルコンタクト部材とを含む。グランドコンタクト部材３０は、第一のグランドコンタクト部３１と、第二のグランドコンタクト部３２とを備える。第一のグランドコンタクト部３１は、一方の板面６ａに形成されたグランド端子６４に接触する接触部３１ａを有し、ハウジング１０の幅方向で第一のシグナルコンタクト部材と対向する。第二のグランドコンタクト部３２は、他方の板面６ｂに形成されたグランド端子６５に接触する接触部３２ａを有し、ハウジング１０の幅方向で第二のシグナルコンタクト部材と対向する。これにより、ハウジング１０の幅方向において、一対のシグナルコンタクト部材２０の各々とグランドコンタクト部材３０とを対向させることができるため、差動信号の品質劣化をより精度よく抑制することができる。
【００６５】
また、グランドコンタクト部材３０は、第一のグランドコンタクト部３１と第二のグランドコンタクト部３２とを連結する連結部３３を備える。これにより、グランドコンタクト部材３０において連結部３３が設けられない場合に比べ、グランドコンタクト部材３０の接地を強化することができ、差動信号の品質劣化をより抑制することができる。
【００６６】
また、電気コネクタ１は、ハウジング１０、複数のシグナルコンタクト部材２０、および複数のグランドコンタクト部材３０を覆い、ケーブル部２における外導体３ｃに接続される導電性のシェル部材４０を備える。シェル部材４０は、配線部材６に形成されるグランド端子６４，６５と接触する接触部３１ａ，３２ａを有する。これにより、シェル部材４０が接地されることから、電気コネクタ１の外部から複数のシグナルコンタクト部材２０への輻射の影響を抑制することができる。
【００６７】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００６８】
１  電気コネクタ
２  ケーブル部
３  同軸ケーブル
３ａ  内導体
３ｃ  外導体
６  配線部材
６ａ，６ｂ  板面
１０  ハウジング
１１，１２  収容部
２０  シグナルコンタクト部材
２１  接続部
２２，３１ａ，３２ａ，４２，４３  接触部
３０  グランドコンタクト部材
３１  第一のグランドコンタクト部
３２  第二のグランドコンタクト部
３３  連結部
４０  シェル部材
６２，６３  シグナル端子
６４，６５  グランド端子
【図１】
2019133809.tif 000003
【図２】
2019133809.tif 000004
【図３】
2019133809.tif 000005
【図４】
2019133809.tif 000006
【図５】
2019133809.tif 000007
【図６】
2019133809.tif 000008
【図７】
2019133809.tif 000009
【図８】
2019133809.tif 000010
【図９】
2019133809.tif 000011
【図１０】
2019133809.tif 000012
【図１１】
2019133809.tif 000013
【図１２】
2019133809.tif 000014
【図１３】
2019133809.tif 000015
【図１４】
2019133809.tif 000016
【図１５】
2019133809.tif 000017
【図１６】
2019133809.tif 000018
【図１７】
2019133809.tif 000019
【図１８】
2019133809.tif 000020
【図１９】
2019133809.tif 000021
【図２０】
2019133809.tif 000022
【図２１】
2019133809.tif 000023
【図２２】
2019133809.tif 000024